(57)【要約】  本発明は、加工物を処理するための走査装置および走査方法に関する。この走査装置は、互いに固定的に結合されたウエハアームおよび移動アームを含み、ウエハアームおよび移動アームは、第１軸回りに回転可能である。ウエハアームにはエンドエフェクタが結合され、加工物は、エンドエフェクタ上に配置される。ウエハアームおよび移動アームは、回転するシャフトによって第１アクチュエータに結合され、第１アクチュエータは、シャフトに回転力を付与する。シャフトには、シャフトの回転方向を反転させる運動量バランス機構が結合される。運動量バランス機構は、１つまたは複数の固定ばね作用要素を含み、移動アームに結合された移動ばね作用要素に対して力を作用する。さらに、コントローラは、予め定められた走査範囲内におけるエンドエフェクタの移動速度をほぼ一定に維持するように動作する。
2007533078.tif 000002
【特許請求の範囲】
【請求項１】
イオンビームに対して加工物を走査するための走査装置であって、
ベース部と、
該ベース部に回転可能に結合されたシャフトと、
１つまたは複数の固定ばね要素を含む運動量バランス機構と、
前記シャフトに結合されると共に、前記加工物が配置されるエンドエフェクタが動作可能に結合されたウエハアームと、
前記シャフトに結合されると共に、前記ウエハアームに対して固定された移動アームと、を含んでおり、
さらに、該移動アームは、該移動アームに動作可能に結合された移動ばね要素を含み、該移動ばね要素と前記１つまたは複数の固定ばね要素との間の力は、前記移動ばね要素を前記１つまたは複数の固定ばね要素から退けるように作用する反発力であり、前記エンドエフェクタは、第１走査経路に沿って移動することを特徴とする走査装置。
【請求項２】
前記運動量バランス機構は、前記シャフトに回転可能に結合され、１つまたは複数の前記移動アームと前記ウエハアームは、前記シャフトに固定されることを特徴とする請求項１に記載の走査装置。
【請求項３】
前記運動量バランス機構は、前記シャフトに回転可能に結合された長尺の一対の運動量バランスアームを含み、前記１つまたは複数の固定ばね要素は、前記一対の運動量バランスアームに結合されることを特徴とする請求項１に記載の走査装置。
【請求項４】
前記一対の運動量バランスアームは、前記シャフトに対してそれぞれ個別に回転可能に結合され、前記一対の運動量バランスアームの間の配向角度は可変であることを特徴とする請求項３に記載の走査装置。
【請求項５】
前記一対の運動量バランスアームに動作可能に結合された振幅制御機構をさらに含み、該振幅制御機構は、前記一対の運動量バランスアームの間の配向角度をほぼ定めることによって、それぞれの前記運動量バランスアームに関連する前記１つまたは複数の固定ばね要素の間の可変な距離を定め、それによって、前記移動ばね要素の振動の可変な振幅を定めることを特徴とする請求項３に記載の走査装置。
【請求項６】
前記１つまたは複数の固定ばね要素および前記移動ばね要素は、１つまたは複数の永久磁石または電磁石を含むことを特徴とする請求項１に記載の走査装置。
【請求項７】
前記シャフトに関連するロータリーシールをさらに含み、前記ウエハアームは、処理チャンバーの内部に配置され、前記移動アームおよび前記運動量バランス機構は、前記処理チャンバーの外部に配置されており、前記ロータリーシールは、前記処理チャンバーの外部の環境を、前記処理チャンバーの内部の環境からほぼ隔離することを特徴とする請求項１に記載の走査装置。
【請求項８】
前記シャフトに動作可能に結合された第１アクチュエータをさらに含み、該第１アクチュエータは、前記シャフトに第１軸回りの回転力を付与するように動作可能であることを特徴とする請求項１に記載の走査装置。
【請求項９】
前記第１アクチュエータは、前記ベース部に固定されたサーボモータを含むことを特徴とする請求項８に記載の走査装置。
【請求項１０】
前記エンドエフェクタ、前記シャフト、前記運動量バランス機構、前記移動ばね要素、および前記固定ばね要素の１つまたは複数の位置を検知するように動作可能である１つまたは複数のセンサ要素と、
前記１つまたは複数のセンサ要素によって検知された位置に少なくとも部分的に基づいて、前記第１アクチュエータに供給されるパワー量を制御することにより、前記シャフトの回転速度を制御するように動作可能であるコントローラと、をさらに含み、
前記エンドエフェクタの速度は、前記第１走査経路に沿って予め定められた走査範囲内で略一定であることを特徴とする請求項８に記載の走査装置。
【請求項１１】
前記運動量バランス機構は、前記シャフト回りに自由に回転可能であり、前記コントローラは、前記シャフトの回転速度を制御することにより前記反発力を制御することによって、前記運動量バランス機構の回転を制御するように動作可能であることを特徴する請求項１０に記載の走査装置。
【請求項１２】
前記エンドエフェクタは、第１連結部によって前記ウエハアームに動作可能に結合されており、前記エンドエフェクタは、さらに、前記ウエハアームに対して１つまたは複数の方向に移動するように動作可能であることを特徴とする請求項１に記載の走査機構。
【請求項１３】
前記ベース部に動作可能に結合された第２アクチュエータを含む二次的平行移動機構をさらに含み、該二次的平行移動機構は、前記ベース部を第２走査経路に沿って移動させるように動作可能であり、前記第２走査経路は、前記第１走査経路の少なくとも一部に略直交することを特徴とする請求項１に記載の走査装置。
【請求項１４】
イオンビームに対して加工物を走査するための方法であって、
第１アクチュエータ、該第１アクチュエータに動作可能に結合されたシャフト、該シャフトに略回転自在に結合された運動量バランス機構、前記シャフトに固定されたウエハアーム、および前記シャフトに固定された移動アームを含む走査装置を用意する段階と、
前記ウエハアームに関連するエンドエフェクタ上に前記加工物を配置する段階と、
前記第１アクチュエータにパワーを供給することによって前記シャフトに回転力を付与する段階と、
前記第１アクチュエータに供給されるパワー量および前記運動量バランス機構の配向を制御することによって、前記ウエハアームに関連する前記エンドエフェクタを第１走査経路に沿って振動させる段階と、
を含むことを特徴とする方法。
【請求項１５】
前記運動量バランス機構は、さらに、ウエハアームおよび移動アームとは独立に回転するように動作可能な一対の運動量バランスアームに関連する１つまたは複数の磁石を含んでおり、前記移動アームは、さらに、該移動アームに関連する１つまたは複数の磁石を含み、前記移動アームに関連する前記磁石は、前記運動量バランスアームに関連する前記磁石によって反発され、前記第１アクチュエータの制御は、さらに、前記運動量バランスアームの回転を制御することを含んでいることを特徴とする請求項１４に記載の方法。
【請求項１６】
前記ベース部を、前記第１走査経路の少なくとも一部に対して略直交する方向に、直線的に移動させ、それによって、第２走査経路を定めることを特徴とする請求項１４に記載の方法。
【請求項１７】
イオンビームに対して加工物を走査するための二次元走査装置であって、
前記加工物が配置されるウエハアームと、
該ウエハアームに結合され、前記ウエハアームを第１走査経路に沿って１つまたは複数の方向に移動させるように動作可能な第１アクチュエータと、
１つまたは複数の磁石を有する運動量バランス機構とを含み、該運動量バランス機構は、前記加工物の移動方向を反転させるように動作可能であることを特徴とする二次元走査装置。
【請求項１８】
前記第１アクチュエータは、サーボモータを含み、前記第１走査経路は、全体的に曲線状であることを特徴とする請求項１７に記載の二次元走査装置。
【請求項１９】
前記ウエハアームは、移動アームに結合され、該移動アームは、前記１つまたは複数の磁石とは別の１つまたは複数の磁石を有しており、前記運動量バランス機構が有する前記１つまたは複数の磁石は、前記移動アームが有する前記１つまたは複数の磁石に対して、前記加工物の移動方向を反転させるように作用することを特徴とする請求項１７に記載の二次元走査装置。
【請求項２０】
前記１つまたは複数の磁石は、１つまたは複数の永久磁石および電磁石を含むことを特徴とする請求項１７に記載の二次元走査装置。
【請求項２１】
イオンビームに対して加工物を走査するための機械的走査装置であって、
回転可能に取り付けられたシャフト部材と、
該シャフト部材に取り付けられると共に、前記加工物を走査経路に沿って移動させるアーム部材と、
前記シャフト部材に結合されると共に、前記シャフト部材を１つまたは複数の方向に回転させ、それによって、前記加工物を前記走査経路に沿って１つまたは複数の方向に移動させるアクチュエータと、
前記加工物の移動方向を反転させるために適合した１つまたは複数の磁石を含む振動機構と、を含むことを特徴とする機械的走査装置。
【請求項２２】
イオンビームに対して加工物を走査するための方法であって、
振り子運動するようにアームを取り付ける段階と、
前記加工物を前記アーム上に移動可能に支持し、前記アームを磁気反発力により振動させることによって、反転可能な走査経路に沿って前記加工物を移動させる段階と、を含むことを特徴とする方法。
【発明の詳細な説明】
【技術分野】
【０００１】
本発明は、一般的には、半導体処理システムに関し、より詳しくは、半導体処理の間に加工物の品質及び加工物の運動の精度を制御するための装置及び方法に関する。
【背景技術】
【０００２】
半導体産業において、通常、加工物（例えば、半導体ウエハ）上における様々な結果を達成するために、加工物に対して様々な製造処理が実行される。例えば、加工物上または加工物内に特定の特性を得るため、イオン注入のような処理を実施することができ、その例としては、特定のタイプのイオンを注入することによって、加工物上の誘電体層の拡散係数を制限すること等が挙げられる。従来、イオン注入処理は、複数の加工物を同時に処理するバッチ処理、または、一枚の加工物を個別に処理する逐次処理のいずれかの方式で処理されている。従来の高エネルギーまたは高電流のバッチ式イオン注入装置は、例えば、イオンビームラインを形成すると共に、そのイオンビームライン中にホイールまたはディスク上に配置した多数のウエハを用意し、イオンビームを横切るようにホイールを回転させ、また、半径方向に平行移動させることによって、その処理を通じてイオンビームが何度も加工物の表面全体に照射されるように動作するものである。しかし、一般に、このようなバッチ方式により加工物を処理するためには、イオン注入装置のサイズを相当に大きなものにする必要がある。
【０００３】
一方、典型的な逐次処理は、静止したウエハ全体に渡るようにイオンビームを一軸方向に走査するか、または、ウエハを一方向に平行移動して、扇形のイオンビームまたは走査されるイオンビーム下を通過させるものである。しかし、一般に、イオンビームを走査する処理または均一なイオンビームを形成する処理は、複雑なビームラインを要するものであり、そのようなビームラインは、通常、低エネルギーにおいて望ましいものではない。加えて、ウエハ全体に均一なイオン注入を施すためには、通常、イオンビームまたはウエハを均一に平行移動および／または回転させる必要がある。しかし、このような均一な平行移動および／または回転を達成することは難しく、その少なくとも部分的な理由は、従来の装置および走査機構では、運動に伴う慣性力が大きいことである。
【発明の開示】
【発明が解決しようとする課題】
【０００４】
したがって、加工物をイオンビームに対して均一に平行移動および／または回転させつつ、加工物全体に渡ってイオンビームを走査するための装置に対する要望がある。
【課題を解決するための手段】
【０００５】
本発明は、先行技術の限界を克服するものである。以下に、本発明の１つ又は複数の態様の基本的な理解に供するために、本発明の簡単な要約を示す。この要約は、本発明の完全な概要ではなく、また、本発明の重要な又は必須の要素を同定するものでも、本発明の範囲を画定するものでもない。この要約の主要な目的は、後述する詳細な説明の導入として、本発明の概念の幾つかを簡略化された形式で提示することである。
【０００６】
本発明は、一般的には、加工物を処理するための走査装置に関するものである。本発明の例示的な一態様に従って、本発明に係る走査装置は、ベース部を備えており、該ベース部には第１アクチュエータが結合されている。前記第１アクチュエータにはシャフトが結合され、前記第１アクチュエータは、前記シャフトに対して第１軸回りの回転力を付与するように動作可能なものである。前記シャフトには、加工物に関連するウエハアームまたは振り子がほぼ固定的に結合されており、前記ウエハアームは、前記シャフトの回転に対応して、振り子型または他の型の運動形態で回転または揺動する。前記ウエハアームには、エンドエフェクタが動作可能に結合され、例えば、前記加工物は、前記エンドエフェクタ上に配置される。前記エンドエフェクタは、前記第１軸に対して偏心した位置に存在しており、例えば、前記エンドエフェクタは、前記第１軸から予め定められた第１の距離を置いて前記ウエハアームに結合される。したがって、前記シャフトの回転は、前記エンドエフェクタ上に配置された前記加工物を、第１走査経路に沿って移動（および振動）させるように機能する。
【０００７】
本発明の別の例示的な態様に従って、前記エンドエフェクタの速度を、前記第１走査経路に沿った予め定められた運動範囲内で、ほぼ一定に維持することができる。この際、前記ベース部に対する前記エンドエフェクタの移動速度は、前記エンドエフェクタの加速および減速が、前記エンドエフェクタの前記予め定められた運動範囲の外側で発生するように制御される。
【０００８】
本発明の別の例示的な態様に従って、本発明に係る走査装置は、運動量バランス機構を備えており、該運動量バランス機構は、前記ウエハアームの回転の方向をほぼ反転させ、それによって、前記第１走査経路に沿った前記加工物の方向を反転させるものである。前記運動量バランス機構は、前記第１軸回りのバランスがほぼ均衡化されており、それによって、前記第１軸に関連するトルクはほぼ最小化される。別の例によれば、前記運動量バランス機構は、該運動量バランス機構に対してほぼ固定された１つまたは複数の固定ばね要素を含んでいる。該１つまたは複数の固定ばね要素は、前記ベース部に対して可動であってもよい。例えば、前記１つまたは複数のばね要素は、一対の運動量バランスアームの末端部に結合されており、個々の前記運動量バランスアームに関連する前記１つまたは複数の固定ばね要素は、ほぼ固定された互いの距離を維持しつつ、個々の前記運動量バランスアームのそれぞれの末端部回りに回転するように動作可能なものであってもよい。加えて、前記一対の運動量バランスアームは、前記第１軸回りに回転可能なものであってもよい。この際、それぞれの前記運動量バランスアームは、さらに、他方の前記運動量バランスアームに対して回転可能なものであってもよい。これによって、さらに、前記一対の運動量バランスアームの一方に関連する前記固定ばね要素を、他方の前記運動量バランスアームに関連する前記固定ばね要素から離隔する距離が、可変なものとなる。さらに、このような前記固定ばね要素間の可変な距離は、例えばコントローラによって制御することができる。
【０００９】
本発明の別の態様に従って、前記シャフトには、さらに移動アームが固定的に結合されており、該移動アームは、前記ウエハアームの回転に伴って前記第１軸回りに回転するように動作可能なものである。前記移動アームは、例えば、１つまたは複数の移動ばね要素を含み、前記１つまたは複数の移動ばね要素と、前記運動量バランス機構に関連する前記１つまたは複数の固定ばね要素との間の力は、前記シャフトの回転方向をほぼ反転させ、それによって、前記加工物の前記第１走査経路に沿った移動方向を反転させるものである。前記１つまたは複数の固定ばね要素および前記１つまたは複数の移動ばね要素は、磁石、電磁石、機械ばね、空気圧ばね、および、他のばね要素または作動機構の１つまたは複数を含むものであってもよい。
【００１０】
別の例によれば、前記運動量バランス機構、前記ウエハアーム、および前記移動アームは、前記第１軸回りのバランスがほぼ均衡化され、それによって、前記第１軸に関連するトルクがほぼ最小化される。前記運動量バランス機構、前記ウエハアーム、および前記移動アームのそれぞれに対して１つまたは複数の釣合重りが関連し、該１つまたは複数の釣合重りは、それぞれの構成要素の前記第１軸回りのバランスをほぼ均衡化させるものである。加えて、本発明の別の例示的な態様によれば、前記運動量バランス機構は、前記移動アームおよび前記ウエハアームよりも非常に大きな慣性質量を有するものであり、前記ウエハアームの振動によって前記運動量バランス機構に作用する力は、前記運動量バランス機構によって殆ど吸収される。さらに、前記第１アクチュエータによって付与される回転力を制御することにより、前記ウエハアームの前記第１軸回りの回転を制御することによって、前記一対の運動量バランスアームの前記第１軸回りの回転を、ほぼ安定化させることができる。例えば、前記第１アクチュエータにより、前記シャフトに対して、第１の回転方向には比較的大きな回転力を付与し、第２の方向には比較的小さな回転力を付与することによって、前記運動量バランス機構を、前記第１軸回りの前記第１の方向に回転させることができる。同様にして、前記運動量バランス機構を、第２の方向に回転させることもできる。
【００１１】
本発明のさらに別の例示的態様に従って、本発明に係る走査装置は、さらに二次的平行移動機構を備えており、前記ベース部および該ベース部に関連する前記ウエハアームを、さらに、第２走査経路（低速走査軸ともいう）に沿って平行移動させるように動作可能なものである。前記第２走査経路は、例えば、前記第１走査経路の少なくとも一部に略直行する。
【００１２】
本発明の別の例示的な態様では、本発明は、走査システムを提供するものであり、この走査システムは、前記エンドエフェクタの回転速度を制御するように動作可能なコントローラを備えており、この際、前記予め定められた範囲内での前記加工物の運動が、実質的に一定となるように維持される。また、本発明は、加工物を走査するための方法を提供するものであり、この方法は、前記一対の運動量バランスアームの間で前記移動アームを振動させることによって、予め定められた仕方で前記ウエハアームを回転させることを含んでおり、この際、前記加工物は、前記予め定められた範囲内でほぼ一定の速度を有しつつ、前記第１走査経路に沿って前記ベース部に対して移動するものである。
【００１３】
上述した目的及び関連する目的を達成するために、本発明は、以下に詳細に説明され、また、添付特許請求の範囲に特に明示された特徴を含むものである。添付図面及び図面の説明には、本発明の特定の例示的な態様及び実施形態が詳細に記載されているが、これらは、本発明の原理を使用可能な様々な態様のごく一部を示すものである。本発明の他の態様、利点、及び新規な特徴は、以下に記載した本発明の詳細な説明を図面と共に考慮することによって、明らかになるであろう。
【発明を実施するための最良の形態】
【００１４】
本発明は、一般的には、ビームに対して加工物を移動させるための走査装置に関する。より詳しくは、この走査装置は、予め定められた走査範囲内において、スポットビームに対してほぼ一定の速度で加工物を移動させるように動作可能なものであり、この際、走査装置は、運動量バランス機構の作用により振動する。以下、添付図面を参照して本発明を説明する。全体を通じて、同様の構成要素には同様の符号を付して参照する。各図面および以下の説明は、例示的なものであって本発明を限定するものではない。以下の記載において、本発明の完全な理解を図るために、説明を目的として、多くの特定の詳細構成が記載されている。しかしながら、本発明は、それらの特定の詳細構成を有していなくとも実施可能なものであることは、当業者には明らかであろう。
【００１５】
本発明は、加工物を振動的に往復運動させる二次元走査装置に関する。この走査装置は、振動経路の端部において加工物を急速に加速および減速させるために、１つまたは複数のばね要素を備えており、それによって、予め定められた範囲内における加工物のほぼ一様な移動を達成するものである。以下の記載は、本発明のいくつかの例示的な態様を詳細に説明するものである。ただし、これらの例によって本発明を限定することを意図するものではなく、これらの例に対する様々な代替例は、本発明の範囲に含まれるものである。
【００１６】
ここで、本発明の１つの例示的な態様に従う図面を参照すると、図１および図２は、それぞれ例示的な走査装置１００の平面図および側面図であり、この走査装置は、予め定められた第１走査経路１０４に沿って加工物１０２を振動させるように動作可能なものである。ここで、走査装置１００は、実寸に従って図示されているわけではなく、その様々な構成要素は、明瞭性の観点から、図示する場合と図示しない場合があることに留意されたい。したがって、図示された様々な特徴は、それぞれ様々な形状および大きさにすることも、あるいは、全く省略することもできる。そして、このような形状、大きさ、および省略は、すべて本発明の範囲に含まれるものである。
【００１７】
一例として、走査装置１００は、後述するように、イオン注入装置で使用されるイオンビーム（図示は省略する）に対して加工物１０２を振動させるように動作可能なものである。ただし、本発明は、様々な半導体処理システムとともに使用することができ、そのようなシステムは、すべて本発明の範囲に含まれる。走査装置１００は、例えば、イオンビーム（図示は省略する）に対して静止したベース部１０５を含んでいる。あるいは、後述するように、このベース部は、さらに、イオンビームに対して移動するように動作可能なものであってもよい。ベース部１０５は、任意の形状とすることができ、図示された長方形の形状は、単に図示を簡明にするための例にすぎない。
【００１８】
本発明の一態様に従って、走査装置１００は、シャフト１１０を含んでおり、このシャフトは、例えば、滑り軸受１１２を介してベース部１０５に回転可能に結合されている。さらに、シャフト１１０は、例えば第１軸１１４回りに回転するように動作可能なものである。またさらに、シャフト１１０は、図２に示すように、例えば第１アクチュエータ１１５に動作可能に結合されており、この第１アクチュエータは、ベース部１０５にほぼ固定的に結合されている。第１アクチュエータ１１５は、例えば、サーボモータのようなロータリーアクチュエータを含んでおり、第１軸１１４回りのシャフト１１０の回転速度を変動させるように動作可能なものである。また、一例として、第１アクチュエータ１１５は、シャフト１１０が、第１軸１１４回りを時計回りと反時計回りの両方の方向に回転するように動作可能なものである。
【００１９】
走査装置１００は、さらに、シャフト１１０に結合されたウエハアーム１２０を含み、さらに、ウエハアームは、このウエハアームに動作可能に結合されたエンドエフェクタ１２５を含んでいる。加工物１０２は、このエンドエフェクタ上に配置される。一例において、エンドエフェクタ１２５は、第１軸１１４から予め定められた第１の距離Ｌ１だけ離れて配置されている。別の例では、この第１の距離Ｌ１を可変とし、ウエハアーム１２０は、エンドエフェクタ１２５を第１軸１１４に略直交する方向に移動させるように動作可能なウエハ操作機構１２７をさらに含むものである。別の例では、ウエハアーム１２０は、シャフト１１０に対してほぼ固定的に結合された長尺部材から構成され、第１軸１１４回りのシャフトの回転によりエンドエフェクタ１２５が第１軸回りに回転することによって、エンドエフェクタ（したがって、加工物１０２）を、ベース部１５０に対して第１走査経路１０４に沿って移動させるものである。
【００２０】
エンドエフェクタ１２５は、例えば、加工物１０２をエンドエフェクタ上に固定するように動作可能であり、この場合、エンドエフェクタの運動により加工物の運動がほぼ決定される。一例において、エンドエフェクタ１２５は、静電チャック（electrostatic chuck:ＥＳＣ）を含み、このＥＳＣは、加工物を実質的にクランプするかまたはエンドエフェクタに対する加工物の位置を維持するように動作可能なものである。あるいは、エンドエフェクタ１２５は、積載物（例えば、加工物）の把持を維持するための様々な他の装置を含むものであってもよく、そのような装置はすべて本発明の範囲に含まれる。
【００２１】
別の例では、エンドエフェクタ１２５は、ウエハアームに関連する第１連結部１２６を介して、ウエハアーム１２０に対して動作可能に結合されている。第１連結部は、第１軸１１４から予め定められた第１の距離Ｌ１だけ離れて配置されており、例えば、エンドエフェクタ１２５を第２軸１２７回りに回転させるように動作可能なものである。加えて、別の例では、第１連結部１２６は、さらに、エンドエフェクタ１２５を傾ける（図示は省略する）ように動作可能なものであり、一例として、エンドエフェクタは、１つまたは複数の軸回りに傾くように動作可能なものである。第１連結部１２６は、例えば、直進ジョイントを含む。
【００２２】
本発明の別の例示的な態様に従って、さらに、シャフト１１０およびウエハアーム１２０の回転を制御して、加工物１０２がイオンビームに対して予め定められた仕方で移動するように、図１に示す第１走査経路１０４に沿ってエンドエフェクタ１２５を振動させることができる。ここで、イオンビームは、例えば、図２に示すような、第１走査経路１０４の一部分に入射する、ベース部１０５に対してほぼ静止したイオンビーム１２９である。さらに、第１連結部１２６の回転を制御して、例えば、エンドエフェクタ１２５と第１走査経路１０４との回転上の関係をほぼ一定に維持することができる。
【００２３】
加工物１０２を均一に処理するためには、加工物１０２が第１走査経路１０４に沿って移動する間、加工物１０２にイオンビーム１２９が照射されるときに、エンドエフェクタ１２５の移動速度をほぼ一定に維持することが重要である。エンドエフェクタ１２５の速度をほぼ一定に維持することによって、エンドエフェクタ１２５上に配置された加工物１０２全体に渡ってイオンビーム１２９をほぼ均一に走査することができる。これによって、加工物を、円弧状の第１走査経路１０４に沿って移動させつつ、均一に処理するものである。一例では、通常、エンドエフェクタ１２５の振動の間、予め定められた運動範囲内におけるエンドエフェクタの速度が実質的に一定であることが望ましい。
【００２４】
図３に示すように、走査装置１００は、加工物１０２が、エンドエフェクタ１２５の最大到達位置１３０、１３２の間を第１走査経路１０４に沿って振り子型の運動により振動するように動作可能なものである。エンドエフェクタ１２５の最大到達位置１３０、１３２は、さらに、ウエハアーム１２０のベース部１０５に対する回転の最大到達位置１３５、１３７に相当する。したがって、加工物１０２の互いに反対側の両端部１４１が移動する最大走査距離１４０は、エンドエフェクタ１２５の最大到達位置１３０、１３２およびウエハアーム１２０の最大到達位置１３５、１３７に関連して、曲線状の第１走査経路１０４に沿って、（例えば、第１走査経路に沿って、加工物の外周円の互いに反対側の両端部により、）ほぼ決定される。本発明の１つの例示的な態様では、最大走査距離１４０は、加工物１０２の直径Ｄの２倍よりも大きいものである。最大走査距離１４０が直径Ｄの２倍を超えた部分には、オーバーシュート領域１４２が形成される。このオーバーシュート領域１４２は、例えば、第１走査経路１０４に沿った加工物１０２の振動が（例えば、シャフト１１０の時計回りの回転と反時計回りの回転との間で）方向を変えるときに、有利に使用することができる。
【００２５】
このように、加工物１０２は、第１走査経路１０２に沿って振動し、最大到達位置１３０、１３２で（さらに、最大到達位置１３５、１３７に関連して）方向を変えるものである。エンドエフェクタ１２５のこのような方向の変化は、さらに、エンドエフェクタおよび加工物１０２の速度および加速度の変化に関連する。一例として、イオン注入処理では、例えば図２に示すように、加工物１０２が、加工物上にイオンビームがほぼ常に入射している状態で、そのイオンビーム下を横切って通過するときに、第１走査経路１０４における該当部分に沿ったエンドエフェクタ１２５の速度を、実質的に一定に維持することが通常望ましい。このように速度を一定に維持することによって、加工物１０２に対して、そのイオンビームを横切る移動の全体に渡って、イオンビームがほぼ均一に照射されるものである。しかしながら、エンドエフェクタ１２５の運動が振動運動であるため、図３に示すように、（例えば、エンドエフェクタおよび加工物１０２に関連する）ウエハアーム１２０が、曲線状の振動の両端部における最大到達位置１３０、１３２に近付いたとき等において、エンドエフェクタが加速および減速されることは避けられない。このような最大到達位置１３０、１３２および関連するウエハアームの最大到達位置１３５、１３７付近における（例えば、走査経路の方向転換の間の）加速および減速は、慣性力および走査装置１００のベース部１０５に伝達される関連する反作用力を最小限に留めるために、適切なレベルに維持する必要がある。加えて、加工物１０２にイオンビームが照射されている間に、エンドエフェクタ１２５の速度が変化すると、例えば、加工物上のイオン注入の非均一性を招くおそれがある。
【００２６】
したがって、イオンビームを横切る加工物１０２の運動に関連して予め定められた範囲１４５において、速度がほぼ一定であることが望ましい。例えば、この予め定められた範囲１４５は、エンドエフェクタ１２５の加速および減速がオーバーシュート領域１４２内でほぼ調整可能であるように、加工物１０２の物理的寸法に関連するものであり、例えば、加工物の直径の約２倍またはそれ以上として定められる。すなわち、加工物１０２がイオンビームを横切って完全に通過した後は、エンドエフェクタ１２５の加速および減速が、加工物全体に渡るイオン注入処理または照射線量の均一性に対して実質的な影響を及ぼすことはない。そして、このような一定の速度は、後に詳述するように、例えば、第１アクチュエータ１１５への供給パワー量を制御することによって達成することができる。
【００２７】
オーバーシュート領域１４２内でのウエハアーム１２０の急速な加速および減速は、一例では、運動量バランス機構１５０を使用することによって達成される。運動量バランス機構１５０は、例えば、ウエハアーム１２０に関連するエンドエフェクタ１２５を、効率的な方法で急速に加速および減速するように動作可能なものである。例えば、図１および図２に示すように、運動量バランス機構１５０は、運動量バランス機構にほぼ固定された１つまたは複数の固定ばね要素１６０を含んでいる。走査装置１００は、例えば、シャフト１１０に結合された長尺部材等からなる移動アーム１５５をさらに含んでおり、この移動アームは、ウエハアーム１２０に対してほぼ固定されている。運動量バランス機構１５０に関連する１つまたは複数の固定ばね要素１６０は、例えば、１つまたは複数の固定ばね要素と移動アームおよび／またはウエハアームとの間に反発力を作用させることによって、移動アーム１５５（したがって、ウエハアーム１２０）を、図３に示すオーバーシュート領域１４２内で加速および減速するように動作可能なものである。１つまはた複数の固定ばね要素１６０は、例えば、磁石、電磁石、機械ばね、および／または空気圧ばねの１つまたは複数を含むものであってもよい。一例において、ウエハアーム１２０および移動アーム１５５は、１つの部材として一体化されているものである。あるいは、ウエハアーム１２０と移動アーム１５５は、図２に示すように、シャフト１１０に対してそれぞれ個別に固定的に結合される。別の例では、ウエハアームおよび移動アーム１５５の１つまたは複数に、１つまたは複数の補強要素（図示は省略する）を関連させ、このような１つまたは複数の補強要素によって、ウエハアームおよび移動アームのそれぞれに剛性を付与するものである。加えて、ウエハアーム１２０、移動アーム１５５、および運動量バランスアーム１７０Ａ、１７０Ｂの１つまたは複数に、１つまたは複数の釣合重り（図示は省略する）を関連させ、このような１つまたは複数の釣合重りによって、ウエハアーム、移動アーム、および運動量バランスアームそれぞれの第１軸回りの回転に関連するトルクをほぼ最小化するものである。
【００２８】
別の例では、移動アーム１５５は、さらに、移動アームに動作可能に結合された移動ばね要素１６５を含んでいる、移動ばね要素１６５は、例えば、磁石、電磁石、機械ばね、および／または空気圧ばねの１つまたは複数を含むものであってもよい。移動ばね要素は、移動アーム１５５と共に第１軸１１４回りに回転するものである。さらに、移動ばね要素１６５は、例えば、移動ばね要素と１つまたは複数の固定ばね要素１６０との間に力が作用するように動作可能なものであり、それによって、移動ばね要素（したがって、移動アーム）は、１つまたは複数の固定ばね要素から反発するように動作する。後に詳述するように、このような移動ばね要素１６５の反発によって、例えば、移動アーム１５５（したがって、ウエハアーム１２０および加工物１０２）の急速な加速および減速を有利に実施することができる。
【００２９】
本発明の別の例示的な態様では、運動量バランス機構１５０は、シャフト１１０に回転可能に結合された一対の運動量バランスアーム１７０を含んでおり、さらに、１つまたは複数の固定ばね要素１６０は、一対の運動量バランスアームに結合されている。例えば、１つまたは複数の固定ばね要素１６０は、それぞれの運動量バランスアームの１つまたは複数の末端部１７１に固定的に結合される。別の例では、１つまたは複数の固定ばね要素１６０は、それぞれの運動量バランスアームの末端部１７１に存在する状態で（したがって、第１軸１４４に対して固定された位置を維持しながら）、関連する運動量バランスアームに対して回転するように動作可能なものである。さらに、一対の運動量バランスアーム１７０のそれぞれは、例えばそれぞれの重心で、シャフト１１０に（例えば、１つまたは複数の軸受によって）回転可能に結合されており、これによって、シャフト回りの回転に対するバランスが均衡化されている。
【００３０】
例えば、図１に示すように、一対の運動量バランスアーム１７０Ａ、１７０Ｂは、シャフトに対してそれぞれ個別に回転可能に結合されており、一対の運動量バランスアームの間の配向角度は可変である。例えば、このような配向角度の可変性によって、一般に、図３に示す最大走査距離１４０が可変になり、走査される加工物１０２上の表面積に対して第１走査経路１０４をほぼ最適化することができる。
【００３１】
本発明の例示的な一態様に従って、走査装置１００は、図１に示すように、さらに振幅制御機構１７５を含んでおり、この振幅制御機構は、一対の運動量バランスアーム１７０Ａ、１７０Ｂに動作可能に結合されている。例えば、振幅制御機構１７５は、一対の運動量バランスアーム１７０Ａ、１７０Ｂの間の配向角度をほぼ定めるものであり、それによって、それぞれの運動量バランスアームに関連する１つまたは複数の固定ばね要素の間の可変な距離（例えば、図３に示す可変な最大走査距離１４０）が定められる。この可変な距離によって、移動ばね要素１６０の振動の振幅（したがって、加工物１０２の振動の可変な振幅）がほぼ与えられる。振幅制御機構１７５は、例えば、一対の運動量バランスアーム１７０Ａ、１７０Ｂに動作可能に結合されたウォームギヤ１７６または他の機構を含むものである。加えて、振幅制御機構１７５を制御することによって、さらに、時間または他の要因に応じて振動の振幅を調整することができる。別の例では、振幅制御機構１７５を、一対の運動量バランスアームにほぼ固定的に結合し、時間または他の要因に対して振動の振幅をほぼ固定するものである。
【００３２】
本発明の好適な実施形態に従って、１つまたは複数の固定ばね要素１６０は、１つまたは複数の磁石１８０Ａを含み、移動ばね要素１６５は、１つまはた複数の磁石１８０Ｂを含む。１つまたは複数の磁石１８０Ａ、１８０Ｂは、例えば希土類磁石を含み、希土類磁石は、さらに、鉄、ホウ素、およびネオジムの１つまたは複数を含むものである。また、他の磁石１８０を使用することもでき、強い磁界を発生する任意の磁石は、本発明の範囲に含まれる。あるいは、１つまたは複数の磁石１８０は、１つまたは複数の電磁石を含むものであってもよい。図４および図５には、１つまたは複数の磁石１８０を含む例示的な固定ばね要素１６０が示されている。例えば、図４に示す例では、１つまたは複数の磁石１８０は、移動ばね要素１６５が固定ばね要素１６０に近接する領域を含む対向領域１８２で、反発力１８１を発生するために磁界を最適化するように向き付けられている。加えて、１つまたは複数のヨーク１８３（例えば、鋼部材）は、さらに、磁界が大きな反発力１８１を発生するように調整される。
【００３３】
本発明のさらに別の例示的な態様に従って、図２に示す第１アクチュエータ１１５は、例えば、シャフト、ウエハアーム１２０、エンドエフェクタ１２５、移動アーム１５５、および運動量バランス機構１５０の１つまたは複数の回転位置に応じて、シャフト１１０の（したがって、加工物１０２の）回転速度を変動させるように動作可能なものである。例えば、走査装置１００は、１つまたは複数のセンサ要素１８５を含み、このセンサ要素は、シャフト１１０、ウエハアーム１２０、エンドエフェクタ１２５、移動アーム１５５、および運動量バランス機構１５０の１つまたは複数の回転位置を検知することによって、第１走査経路に沿った加工物１０２の位置を検知するように動作可能なものである。検知された加工物１０２の位置を使用して、後に説明するようなフィードバック制御を実施することができる。１つまたは複数のセンサ要素１８５は、例えば、シャフト１１０、ウエハアーム１２０、エンドエフェクタ１２５、移動アーム１５５、および／または運動量バランスアーム１７０の１つまたは複数に結合されたロータリーエンコーダまたはリニアエンコーダを含むものであってもよい。
【００３４】
本発明の別の例示的な態様に従って、図２に示すように、走査装置１００は、処理チャンバー１９０を含んでおり、ウエハアーム１２０は、この処理チャンバー内に配置される。走査装置１００において、例えば、処理チャンバー１９０内の処理チャンバー環境１９１と外部環境とは仕切られており、処理チャンバー環境内には、最小限の移動構成要素が配置されるものである。例えば、シャフト１１０は、通常、動的にシールされた連結部（例えば、滑り軸受１１２）によって、処理チャンバー１９０と外部環境１９２との間がシールされており、このシールされた連結部は、処理チャンバー環境１９１（例えば、低圧真空下にある真空チャンバー環境）を、外部環境１９２（例えば、大気）から実質的にシールするものである。動的にシールされた連結部１９３は、例えば、上記滑り軸受１１２を含むものであってもよく、一般的に処理チャンバー環境を外部環境から分離する任意の他のシールジョイントを含むものであってもよい。例えば、このようなシールされた連結部１９３は、通常、ウエハアーム１２０およびエンドエフェクタ１２５を分離して、運動量バランス機構１５０および第１アクチュエータ１１５に関連する移動構成要素によって発生するおそれのある有害な作用を抑制しつつ、エンドエフェクタ１２５の処理チャンバー環境１９１内における移動を可能にするものである。別の例では、走査装置１００の任意のまたはすべての構成要素が、処理チャンバー１９０内に配置される。加えて、走査装置は、さらに、処理チャンバー１９０に関連するウエハ操作用ポート１９５を含み、ウエハアーム１２０は、加工物１２０を挿入するかまたは取出すために、エンドエフェクタをウエハ操作用ポートに対して回転および／または平行移動させるように動作可能なものである。さらに、走査装置は、イオン源１２９から射出されたイオンの量を測定するように動作可能なファラデーケージ１９６を備えており、これによって、より良い処理制御を実施するものである。
【００３５】
本発明の別の例示的な態様として、図２に示す例示的な走査装置１００のベース部１０５は、さらに、１つまたは複数の方向に平行移動するように動作可能なものである。例えば、ベース部１０５は、二次的平行移動機構１９７に動作可能に結合され、この二次的平行移動機構は、第２走査経路（図示は省略する）に沿ってベース部を平行移動させるように動作可能なものである。一例において、第２走査経路は、図１に示す第１走査経路１０４の少なくとも一部（例えば、第１走査経路１０４の中点）に対して略直交するものである。本発明の別の例示的な態様に従って、第１走査経路１０４は、加工物１０２の高速走査に関連し、第２走査経路（図示は省略する）は、加工物の低速走査に関連するものである。加工物は、例えば図３に示すような第１走査経路に沿った最大到達位置１３０、１３２の間における移動の度毎に、１単位の増分だけ第２走査経路に沿って誘引される。したがって、二次的平行移動機構１９７は、加工物を、第１走査経路１０４に沿った振動の１周期の全期間に、第２走査経路に沿って２単位の増分だけ平行移動させる。第２走査経路に沿ったベース部１０５の全平行移動量は、例えば、加工物１０２の直径Ｄに略等しいものである。
【００３６】
例えば、二次的平行移動機構１９７は、さらに、ボールねじシステム（図示は省略する）を含むものであってもよく、これによって、ベース部１０５を、第２走査経路に沿って滑らかに平行移動させることができる。このような二次的平行移動機構１９７は、例えば、エンドエフェクタの振動の間に、イオンビームを横切るように加工物を漸増的に移動させて通過させることによって、エンドエフェクタ１２５上に配置された加工物１０２上をイオンビームにより「塗りつぶす」ことを可能にするものであり、それによって、加工物全体に渡って均一にイオンを注入することができる。
【００３７】
図６には、本発明の別の例示的な態様を示すブロック図として、走査システム２００が開示されている。走査システム２００は、例えば、図１に示す走査装置１００のような走査装置２０１を含んでいる。走査システム２００は、上述した装置と代替し得る様々な走査装置２０１を含むものであってもよく、そのような走査装置を組み込むことは、すべて本発明の範囲に含まれるものである。
【００３８】
図６に示す例示的な走査システムにおいて、第１アクチュエータ２０５は、例えばシャフトを介してウエハアームに関連するものであり、この第１アクチュエータは、上述したように、シャフトおよびウエハアームに対して回転力を付与するように動作可能なものである。走査システム２００は、さらに、第１アクチュエータ２０５に関連する第１センサ要素２１０を含み、この第１センサ要素は、さらに、シャフト、ウエハアーム、および／またはエンドエフェクタの位置、または、速度または加速度といった他の運動学的パラメータを検知するように動作可能なものである。
【００３９】
さらに、本発明の別の態様に従って、第１アクチュエータ２０５および第１センサ要素２１０の駆動装置および／または増幅装置（図示は省略する）には、コントローラ２１５（例えば、モーションコントローラ）が動作可能に結合されている。このコントローラ２１５は、関連する制御デューティサイクル（例えば、図３に示す最大到達位置１３０、１３２の間におけるエンドエフェクタ１２５の運動）に応じて第１アクチュエータに供給するパワー２２０の量（例えば、駆動信号）を制御するように動作可能なものである。図６に示す第１センサ要素２１０は、例えばエンコーダまたはレゾルバであり、さらに、コントローラ２１５に対して１つまたは複数のフィードバック信号２２５を供給するように動作可能なものである。これによって、例えば、第１アクチュエータ２０５に供給する駆動信号２２０が実時間で算出される。このように駆動信号２２０を実時間で算出することによって、一般に、第１アクチュエータ２０５に供給されるパワーの精細な調整が可能になる。
【００４０】
本発明の別の態様に従って、本発明に開示される運動制御の一般的なスキームは、エンドエフェクタの滑らかな運動（例えば、予め定められた範囲内でほぼ一定の速度）を達成し、運動制御に関する速度エラーを最小限に抑えるものである。別の例では、コントローラ２１５は、コントローラによって使用可能な比例積分微分（ＰＩＤ）制御装置を含んでおり、一般に、第１センサ要素２１０からフィードバック制御信号が供給されるものである。
【００４１】
上記の例で説明したように、第１アクチュエータ２０５に供給されるパワー２２０の量は、少なくとも部分的には、第１センサ要素２１０によって検知される位置に基づいている。したがって、走査装置のエンドエフェクタ１２５の位置は、第１アクチュエータ２０５に供給されるパワー量を制御することによって、制御することができる。この供給パワー量は、さらに、図１に示す第１走査経路に沿ったエンドエフェクタの速度および加速度に関連する。さらに、図６に示すコントローラ２１５は、例えば、第２アクチュエータ２３０（例えば、図２に示す二次的平行移動機構１９７）にパワー２３５を供給することにより、第２アクチュエータ２３０を制御するように動作可能なものであり、これによって、さらに、エンドエフェクタ１２５の第２走査経路に沿った運動を制御するものである。一例では、図２に示す二次的平行移動機構１９７の漸増運動（例えば、「低速走査」運動）は、エンドエフェクタ１２５の図１に示す第１走査経路１０４に沿った運動（例えば、「高速走査」運動）に同期しており、二次的平行移動機構は、加工物１０２がイオンビームを横切って通過した後（第１走査経路に沿って方向を転換している間に）、その度毎に漸増的に移動するものである。
【００４２】
本発明の別の例示的な態様に従って、運動量バランス機構２４０は、その配向がコントローラ２１５によって制御されるように動作可能なものである。運動量バランス機構２４０に関連する１つまたは複数のセンサ要素２４５は、例えば、図１に示す運動量バランスアーム１７０Ａ、１７０Ｂの１つまたは複数の配向角度、および／または、運動量バランス機構のベース部１０５に対する回転を判別するように動作可能なものである。センサ要素２４５は、例えば、コントローラ２１５にフィードバック２５０を供給し、それによって、コントローラは、運動量バランスアーム１７０Ａ、１７０Ｂのお互いに対する回転、および／または、運動量バランスアームのベース部に対する回転に対する調整量を判別するように動作可能をものである。運動量バランスアーム１７０Ａ、１７０Ｂのお互いに対する回転の調整が必要な場合（例えば、図３に示す最大走査範囲を増大または減少させる場合）、コントローラ２１５は、例えば、図１に示す振幅制御機構を制御することにより運動量バランスアームのお互いに対する配向角度を変更するための信号２５５を、運動量バランス機構に対して供給するように動作可能なものである。また、運動量バランスアーム１７０Ａ、１７０Ｂのベース部１０５に対する回転を調整する必要がある場合、コントローラ２１５は、例えば、第１アクチュエータ２０５に供給するパワー２２０量を調整するように動作可能なものであり、それによって、ウエハアームに対して、１つまたは複数の回転方向への追加的な回転力を付与するものである。例えば、このような第１アクチュエータ２０５の制御により、運動量バランス機構２４０の「ドリフト」を調整することができ、それによって、運動量バランス機構のベース部に対する配向を、ほぼ静止した状態に維持するものである。
【００４３】
図１〜図６に開示された構造およびシステムは、振り子型の運動を備えたシステムに関連するものであるが、本発明は、加工物が第１（例えば、高速）走査経路およびそれと略直交する第２（例えば、低速）走査経路に沿って直線的に移動する直線運動型システムを含むものである。直線運動型システムの場合、機械的ばね要素、磁気的ばね要素、または他の種類のばね作用機構等のばね要素を使用して、第１走査経路に沿った往復直線運動が達成され、このような様々な変形例は、すべて本発明の範囲に含まれる。
【００４４】
本発明のさらに別の例示的な態様に従って、図７には、例示的な方法３００のブロック図が示されており、このブロック図には、図１に示す例示的な走査装置の組込と作動が図示されている。本明細書において、例示的な方法を一連の動作または事象として図示および説明するものであるが、本発明は、このような動作または事象の明示された順序に限定されるものではない。いくつかの段階は、本発明に従って、ここに説明および図示された順序とは異なる順序で、および／または、他の段階と同時に実施されるものであってもよい。加えて、本発明に従う方法を実施するために、必ずしも明示されたすべての段階が必要なものではない。さらに、この方法は、本明細書で説明および図示されたシステムに関連させて実施できるだけでなく、明示されていない他のシステムに関連させて実施するｋともできる。
【００４５】
図７に示すように、方法３００は、ウエハアームおよび運動量バランス機構を含む走査装置を用意する段階３０５から開始する。この走査装置は、例えば、図１に示す走査装置１００のような装置であってもよく、ベース部、第１アクチュエータ、第１アクチュエータに動作可能に結合されたシャフト、シャフトに対してほぼ回転自在に結合された運動量バランス機構、シャフトに対してほぼ固定的に結合されたウエハアーム、およびシャフトに対してほぼ固定的に結合された移動アームを含むものである。さらに、加工物は、ウエハアームに関連するエンドエフェクタ上に配置される。例えば、第１アクチュエータに第１のパワーを供給すると、第１アクチュエータは、シャフトを回転させるように動作可能なものであり、それによって、ウエハアームに振動力を付与して、ウエハアームに関連するエンドエフェクタを第１走査経路に沿って振動させるものである。段階３１０において、この振動は、次のように制御される。すなわち、エンドエフェクタは、予め定められた範囲内でエンドエフェクタの速度がほぼ一定に維持されるように、２つの最大到達位置の間で振動する。例えば、この予め定められた範囲内において、イオンビームが加工物上に衝突することで、加工物の運動全体に渡って、加工物がイオンビームに実質的に均一に照射されることとなる。
【００４６】
さらに、段階３１０における振動の制御は、例えば、第１アクチュエータに供給されるパワー量および運動量バランス機構の配向を制御することによって達成することができる。
【００４７】
本発明の走査装置は、さらに、材料操作タスクの一部を担うために十分な器用さを備えている。このような材料操作タスクには、例えば、処理後のウエハを別の移行システムに配置または移行することが含まれていてもよい。反対に、別の移行装置と組み合わせることによって、さらに、処理前のウエハのロードまたは取得を達成することができる。
【００４８】
本発明の別の例示的な態様に従って、本発明の走査装置は、さらに、潤滑軸受またはアクチュエータのような機械的構成要素を高真空環境に直接曝すことなく、高真空状態の処理チャンバー（図示は省略する）内で使用することができる。この目的を達成するために、例えば、この走査装置の連結部は、さらに、磁性流体シールのような真空シールを備えている。処理の清浄度を保全する任意の種類の可動真空シールは、本発明の範囲に含まれる。したがって、本発明は、さらに、クリーンな真空環境における運動生成とウエハ走査を達成するように動作可能なものである。
【００４９】
以上、本発明を特定の態様及び実施形態に関連させて図示及び説明してきたが、本明細書及び添付された図面の理解に基づいて、当業者が同等な変更及び修正に想至し得ることは理解されるであろう。特に、上述した構成要素（アセンブリ、装置、回路、システム等）によって実行される種々の機能に関して、そのような構成要素を説明するために使用された用語（「手段」に対する参照を含む）は、特に明示されない限り、ここに示された本発明の例示的な実施形態において特定の機能を実行する上述した構成要素のその機能を実行する（すなわち、機能的に同等である）任意の構成要素に、たとえ開示された構成に構造的に同等でなくても、相当するものである。加えて、本発明の特定の特徴がいくつかの態様のうちの１つのみに関連して開示された場合であっても、所定の又は特定の用途のために望ましくかつ有利であるように、そのような特徴を他の態様の１つ又はそれ以上の特徴と組み合わせることもできる。
【図面の簡単な説明】
【００５０】
【図１】図１は、本発明の一態様に従って、例示的な走査装置を示す平面図である。
【図２】図２は、本発明の別の態様に従って、図１に示す例示的な走査装置を示す側面図である。
【図３】図３は、本発明の別の例示的な態様従って、別の走査装置を示す平面図である。
【図４】図４は、本発明の別の例示的な態様に従って、例示的な固定ばね要素および移動ばね要素を示す透視図である。
【図５】図５は、本発明のさらに別の例示的な態様に従って、別の例示的な固定ばね要素および移動ばね要素を示す透視図である。
【図６】図６は、本発明のさらに別の態様に従って、例示的な走査システムを示すシステムレベルのブロック図である。
【図７】図７は、本発明の別の例示的な態様に従って、加工物の処理方法を示すブロック図である。
【図１】
2007533078.tif 000003
【図２】
2007533078.tif 000004
【図３】
2007533078.tif 000005
【図４】
2007533078.tif 000006
【図５】
2007533078.tif 000007
【図６】
2007533078.tif 000008
【図７】
2007533078.tif 000009
【国際調査報告】
2007533078.tif 000010
2007533078.tif 000011